(57)【要約】  【課題】グリーン以外のフェアウエイでも利用でき、クラブの種類を選ばず、安価で便利なゴルフボール拾上げ具を提供する。    【解決手段】  本考案のゴルフボール拾上げ具は、グリップエンド２１に装着されるバンド部４と、このバンド部４に取り付けられ、ゴルフボール３を挟持可能な弾性挟持部５からなる。このバンド部４の材質、形状はゴムベルト、ゴム入り伸縮自在な布テープなど幅１０〜２０ｍｍ程度の環状弾性部材４１であり、この弾性挟持部５は、対向配置した金属線からなる一対のリング５１ａ、５１ｂと、この一対のリングを連結する連結部５２からなり、この連結部５２は、連結するリングの下端部分５１ｃ、５１ｄの間隔を適宜な値に弾性的に保持し、この一対のリングの下端部分をボール３の上方から押し当てて間隔を押し広げ、一対のリングの間にボール３を取り込んで挟持可能とした。  【選択図】  図１
0003110281.tif 000002
【実用新案登録請求の範囲】
【請求項１】
クラブシャフトのグリップエンドの外周部分に着脱自在に、かつ軸方向に摺動自在に装着できるバンド部とゴルフボールを挟持可能な弾性挟持部を備えたことを特徴とするゴルフボール拾上げ具。
【請求項２】
前記バンド部が弾性部材を環状に形成したものである請求項１に記載のゴルフボール拾上げ具。
【請求項３】
前記バンド部が、端部に面ファスナを備えた帯状弾性部材を環状に屈曲し、前記面ファスナで環状に形成されるものである請求項１または２に記載のゴルフボール拾上げ具。
【請求項４】
前記弾性挟持部が、対向配置した金属線からなる一対のリングと、この一対のリングを連結する連結部からなり、この連結部は、連結するリングの間隔を弾性的に保持するとともに、この一対のリングの下方部分をゴルフボールの上方から押し当ててリング間の間隔を押し広げ、一対のリングの間にゴルフボールを取り込んで挟持可能としたものである請求項１、２または３に記載のゴルフボール拾上げ具。
【請求項５】
前記一対のリングのそれぞれの下部を外側に屈曲させて、ハの字状に形成し、この一対のリングのハの字状部分をゴルフボールの上方から押し当ててリング間の間隔を押し広げ、一対のリングの間にゴルフボールを取り込むようにした請求項４に記載のゴルフボール拾上げ具。
【請求項６】
前記一対のリングは、その直径または短径がゴルフボール３の直径未満の円、長円、楕円または多角形からなり、それぞれのリングの下端部分の間隔が２０ｍｍ以上ゴルフボールの直径未満である請求項４または５に記載のゴルフボール拾上げ具。
【請求項７】
前記一対のリングのそれぞれの下端部分に、上方に向けた凹部を形成し、この一対のリングの凹部をゴルフボールの上方から押し当ててリング間の間隔を押し広げ、一対のリングの間にゴルフボールを取り込むようにした請求項４に記載のゴルフボール拾上げ具。
【請求項８】
前記一対のリングとその連結部が、一連の金属線を屈曲成形したものである請求項４〜６のいずれかに記載のゴルフボール拾上げ具。
【考案の詳細な説明】
【技術分野】
【０００１】
本考案は、ゴルフプレーの際に利用するゴルフボール拾上げ具に関する。
【背景技術】
【０００２】
従来、ゴルフプレーに際して、ホールインしたボールの他、プレースまたはリプレースのためにしばしばプレー中のボールを拾上げる必要があった。このボールの拾上げには、上体を大きく前傾させて一方の手を伸ばしてボールを拾うのが通例であり、このような動作は健常者にとってはなんら問題はない。しかしながら、高齢者あるいは腰痛症状を持つプレーヤの場合、かなり苦痛を伴う動作であるところから、上体を大きく前傾させることなくボールが拾上げられる補助具が要望されていた。
【０００３】
そこで、ホールインしたボールを前屈みの姿勢を取ることなく拾上げられるパターとして、グリップエンドの内部に複数本の弾性金属線を収納しておき、必要に応じてき、グリップエンドから突出させて、この複数本の弾性金属線で包み込むようにしてボールを拾上げることができるようにした特殊なパターおよびパター用グリップが提案されている。（特許文献１を参照のこと）
【０００４】
このような特殊な器具は、クラブ製作工場においてあらかじめパターのグリップエンドの内部に固定される特定の構造部材であるから、パターを新規に購入するか、少なくともグリップを交換する必要があるので、費用が嵩むうえ、グリーン以外ではほとんど利用できないという不便があった。さらに、パターグリップは、個人の嗜好が極端に表れる道具であるが、このような特殊なグリップでは多くの嗜好に対応できないという大きな問題もあった。
【０００５】
また、図４の示すようなボール拾上げ具１も実用化されている。これは、クラブ２のグリップエンド２１に装着可能な凹部１１と、ボール３を吸着可能な襞付き凹部１２を備えたゴム製の器具である。使用に際して、プレーヤはこのボール拾上げ具１をグリップエンド２に装着し、上方からボール３に押し付けて吸着させ、拾上げることができるから、前傾姿勢を採る必要がないものである。ところが、このボール拾上げ具１は、安価で便利ではあるものの、ボール３のディンプルの凹部を通じて空気が侵入し易く、十分な吸着力が得られないなどの不具合があった。
【特許文献１】登録実用新案公報  第３０３３９７０号  実用新案登録請求の範囲、図面を参照。
【考案の開示】
【考案が解決しようとする課題】
【０００６】
本考案は、上記の問題点を解決するためになされたものであり、グリーン以外のフェアウエイでも利用でき、クラブの種類を選ばず、安価で便利なゴルフボール拾上げ具を提供する。さらには、プレーヤの都合に合わせてボールの掴み具合やグリップへの装着具合を調節できるゴルフボール拾上げ具を提供する。
【課題を解決するための手段】
【０００７】
上記の問題は、クラブシャフトのグリップエンドの外周部分に着脱自在に、かつ軸方向に摺動自在に装着できるバンド部とゴルフボールを挟持可能な弾性挟持部を備えたことを特徴とする本考案のゴルフボール拾上げ具によって、解決することができる。
そして、その前記バンド部が弾性部材を環状に形成したものであるのが好ましく、さらには、前記バンド部が、端部に面ファスナを備えた帯状弾性部材を環状に屈曲し、前記面ファスナで環状に形成されるものであるのがより好ましい。
【０００８】
また、本考案は、前記弾性挟持部が、対向配置した金属線からなる一対のリングと、この一対のリングを連結する連結部からなり、この連結部は、連結するリングの間隔を弾性的に保持するとともに、この一対のリングの下方部分をゴルフボールの上方から押し当ててリング間の間隔を押し広げ、一対のリングの間にゴルフボールを取り込んで挟持可能としたものである形態に具体化され得る。
【０００９】
この場合、前記一対のリングのそれぞれの下部を外側に屈曲させて、ハの字状に形成し、この一対のリングのハの字状部分をゴルフボールの上方から押し当ててリング間の間隔を押し広げ、一対のリングの間にゴルフボールを取り込むことができる形状にするのが好ましい。
また、前記一対のリングのそれぞれの下端部分に、上方に向けた凹部を形成し、この一対のリングの凹部をゴルフボールの上方から押し当ててリング間の間隔を押し広げ、一対のリングの間にゴルフボールを取り込むことができる形状にするのも好ましい。
さらには、前記一対のリングとその連結部が、一連の金属線を屈曲成形したものであるのがより好ましい。
【考案の効果】
【００１０】
本考案のゴルフボール拾上げ具は、このように、グリップエンドに装着するもので、クラブの種類に限定されず、馴染んだ自分専用のクラブに着脱自在なので扱いが極めて便利である。また摺動自在なので邪魔にならない、弾性のあるバンド部と金属線の挟持部からなる簡単な構造なので、低コストで製作可能でありかつ破損しにくく長持ちする、簡単な動作でボールを確実に拾上げることができ、ボールの掴み具合も簡単に最適に調整できる、グリップエンドへの装着具合も調節できる、など多く優れた効果があり、高齢者あるいは腰痛症状を持つプレーヤに特に有益である。よって本考案は、従来の問題点を解消したゴルフボール拾上げ具として、実用的価値はきわめて大なるものがある。
【考案を実施するための最良の形態】
【００１１】
次に、本考案のゴルフボール拾上げ具に係る実施形態について、図１〜３を参照しながら説明する。
本考案のゴルフボール拾上げ具は、その代表的な第１の実施形態を例示する図１において、ゴルフクラブ２のグリップエンド２１の外周部分に装着されるバンド部４と、このバンド部４に下方に向けて取り付けられる、ゴルフボール３を挟持可能な弾性挟持部５とを基本構造としている。なお、本考案では、図１に示すように、ゴルフクラブ２の方向を上方、ゴルフボール３の方向を下方と表現するものとする。また、図１では、説明の都合上、バンド部４で隠れる弾性挟持部５の部分を実線で表示してある。
【００１２】
ここで、このバンド部４は、グリップエンド２１の外周部分に着脱自在に、かつゴルフクラブ２の軸方向に摺動自在に装着できることが重要であって、その材質、形状はゴムベルト、ゴム入り伸縮自在な布テープなど幅１０〜２０ｍｍ程度のものを環状に形成した環状弾性部材４１が適当である。そして、その直径を弾性力に応じて適宜に定めれば、グリップエンド２１に着脱自在であって、かつゴルフクラブ２の軸方向に滑らせながら移動自在に構成できる。
【００１３】
さらに、このバンド部４が、図２、３に示すような、端部に面ファスナ４２ａを備えたゴム入り伸縮自在な布テープなどある長さの帯状弾性部材４２を環状に丸めてその面ファスナ４２ａで適宜大きさの径の環状のバンド部４に形成するようにすれば、グリップエンド２１への装着具合が自由に好み合わせて調節できるバンド部４が得られる。
【００１４】
次に、ゴルフボールを挟持可能な弾性挟持部５について説明する。
図１に示すように、この弾性挟持部５が、対向配置したステンレスなど金属線からなる一対のリング５１ａ、５１ｂと、この一対のリング５１ａ、５１ｂを連結する連結部５２からなり、この連結部５２は、連結するリング５１ａ、５１ｂの下端部分５１ｃ、５１ｄの間隔を適宜な値に弾性的に保持し、この一対のリングの下端部分５１ｃ、５１ｄをゴルフボール３の上方から押し当ててリング間の間隔を押し広げ、一対のリングの間にゴルフボール３を取り込んで挟持可能としたものである。
【００１５】
この目的のために、リング５１ａ、５１ｂは、真円形状に限定されず楕円、長円、多角形でもよいが、その直径あるいは短径がゴルフボール３の直径未満であることが必要である。また、連結されるリング５１ａ、５１ｂの下端部分５１ｃ、５１ｄの間隔Ｌは、２０ｍｍ以上ゴルフボール３の直径未満とするのが好ましい。２０ｍｍ未満では、リングの下端部分５１ｃ、５１ｄをゴルフボール３の上方から押し当ててリング間にゴルフボール３を取り込み難くなるからであり、ゴルフボール３の直径以上であると取り込んだボールが通り抜け落ちるからである。
【００１６】
本考案の弾性挟持部５は、このように、対向配置した金属線からなる一対のリング５１ａ、５１ｂを連結部５２によって連結したものであり、この連結部５２は上方に伸びた門型形状にて形成され、前記バンド部４との取付け部を兼ねるのがよい。そして、連結部５２をバンド部４へ取り付けるには、縫い付け、接着剤による常温接着、熱圧着などが適宜に利用できる。
【００１７】
なお、図１の例では、リング５１ａ、５１ｂは、ゴルフボール３を取り込み易いよう、下方に向けて順次間隔を広くした「ハ」の字状の対向配置されているが、本考案はこれに限定されず、単純な平行配置をも含むものである。
【００１８】
本考案のゴルフボール拾上げ具の利点は、次の通りである。
１）弾性のあるバンド部で取り付けるので、対象クラブはパタークラブに限定されず、自分専用のクラブに着脱自在であり、扱いや持ち運びが極めて便利である。
２）グリップエンドに沿って摺動自在なので、突出した把持部を引っ込めることもでき、邪魔にならない。
３）弾性のあるバンド部と金属線の挟持部からなる簡単な構造なので、安価に製作可能であり、破損しにくいので長持ちする。
４）簡単な動作でボールをリング間に挟んで確実に拾上げることができる。
５）ボールの掴み具合や、グリップエンドへの装着具合も好みに合わせて調節できる。
【００１９】
さらに、本考案では、図２に示す第２の実施形態ように、この一対のリング５１ａ、５１ｂのそれぞれの下部（中央より下の部分）を外側に屈曲させて、ハの字状部分５１ｅ、５１ｆに形成すると、この一対のリングのハの字状部分５１ｅ、５１ｆをゴルフボール３の上方から押し当ててリング間の間隔を押し広げ易くなり、ゴルフボールの取り込みが容易になるメリットが得られる。この場合、ハの字状部分５１ｅ、５１ｆの各先端間の間隔Ｌ２は図１における間隔Ｌと同様とするのがよい。
【００２０】
さらには、図３に示す本考案の第３に実施形態は、前記一対のリング５１ａ、５１ｂのそれぞれの下端部分に、上方に向けた凹部５１ｇ、５１ｈを形成し、この一対のリングの凹部５１ｇ、５１ｈをゴルフボール３の上方から押し当てて、前述の場合と同様にリング間の間隔を押し広げ、一対のリング５１ａ、５１ｂの間にゴルフボール３を取り込むようにするものである。この場合には、凹部５１ｇ、５１ｈの両側の部分がゴルフボール３に接触するので、第２実施形態同様に、ゴルフボールの取り込みが容易になるメリットが得られる。
【００２１】
さらには、前記した一対のリング５１ａ、５１ｂとその連結部５２は、一連の金属線を材料として構成できる。すなわち、一連の金属線を単純な折り曲げ加工と湾曲加工などの屈曲加工によって前記形状に成形可能であるから、複雑な金型やプレス加工機械を必要とせず、より低コストに製作することができるメリットが獲られる。
【図面の簡単な説明】
【００２２】
【図１】第１実施形態を説明するため、グリップ、本考案、ボールの位置関係を示す要部斜視図。
【図２】第２実施形態の一部を示す斜視図。
【図３】第３実施形態を示す斜視図。
【図４】従来のボール拾上げ具を示す斜視図。
【符号の説明】
【００２３】
２：ゴルフクラブ、２１：グリップエンド
３：ゴルフボール
４：バンド部、４１：環状弾性部材、４２：帯状弾性部材、４２ａ：面ファスナ
５：弾性挟持部、５１ａ、５１ｂ：リング、５２：連結部、５１ｃ、５１ｄ：下端部分
【図１】
0003110281.tif 000003
【図２】
0003110281.tif 000004
【図３】
0003110281.tif 000005
【図４】
0003110281.tif 000006